(57)【特許請求の範囲】
【請求項１】
冷蔵庫、食器洗浄機または製氷機よりなる機器のハウジングの前面部に固定されて前面の操作面から前記機器の操作をするパネル部を有するパネル本体と、前記パネル本体のパネル部の後側に設けられて表示部品と操作部品が配置された基板と、前記パネル本体のパネル部の表面に貼着された操作ラベルとを備えた操作パネルにおいて、
前記パネル本体のパネル部には前記表示部品及び前記操作部品を前記操作面から表示及び操作可能とする前後方向の位置となるように前記基板に当接して支持する支持部を一体的に形成し、
前記パネル本体のパネル部の前面の操作面を上側になるにつれて後方に傾斜させるとともに、前記パネル本体にはパネル部の上端から前側に向けて延出する上板部を形成するようにし、
前記上板部の前記パネル部との境となる部分には前記操作ラベルの上端部を挿通可能なスリットを形成したことを特徴とする操作パネル。
【請求項２】
請求項１に記載の操作パネルにおいて、
前記基板の後側にはこれに当接させて補強する補強板を設け、
前記パネル本体の後側にはこの補強板を係止させて固定する補強板係止爪を一体的に設けたことを特徴とする操作パネル。
【発明の詳細な説明】
【技術分野】
【０００１】
本発明は、冷蔵庫等の機器のハウジングの前面部に固定されて機器の操作をするための操作パネルに関する。
【背景技術】
【０００２】
特許文献１には、冷蔵庫等の機器のフロントパネルの前面部の開口に固定された操作パネルが開示されている。この操作パネルはフロントパネルの前面部の開口に固定された金属板製のパネル本体を備えており、このパネル本体の正面板は上縁を奥側に向けて引っ込ませた斜め姿勢となっている。このパネル本体の正面板には、各種操作ボタンが臨むボタン用窓と、発光ダイオードが臨むダイオード用窓と、表示装置である蛍光表示管が臨む表示窓が開口しており、この正面板の後側に操作ボタンや発光ダイオードが上記のボタン用窓及びダイオード用窓に対応した配列で取り付けられた操作ボタン用基板と、蛍光表示管とが取り付けられている。この操作パネルにおいては、操作ボタン用基板はこれに取り付けられた操作ボタン等の高さのためにスペーサを用いてパネル本体の後側に取り付けられている。
【０００３】
特許文献２には、食器洗浄機等の機器のフロントパネルの前面部の開口に固定された操作部構造が開示されている。この操作部構造はフロントパネルの前面部の開口に固定されたケース体を備えており、このケース体はスイッチ等の操作部品やランプ等の表示部品が配設された制御基板が収納されて前面側に開放される後部ケースと、この後部ケースの前側に嵌合される前部ケースとから構成される。前部ケースはフロントパネルの前面部の開口に挿入可能な矩形枠状の枠体と枠体の内部にて上側が後方に傾斜状態で配設された操作パネルとからなり、枠体の後端部が後部ケースの前端部に嵌合されている。操作パネルには制御基板に配設された操作部品や表示部品と対応する位置に複数の通孔が形成され、操作パネルの前面には各通孔から後部ケースへ水滴や異物の進入を防止して各操作部品や表示部品の各操作内容や表示内容を表示する操作ラベルが貼着されている。この操作部構造においては、前部ケースの上端部にカバーが取り付けられており、このカバーは操作ラベルの上端の縁部を操作パネルに押しつけており、操作ラベルの上端の縁部は操作パネルとの間の密着性が高くなって隙間が生じにくくなっている。
【先行技術文献】
【特許文献】
【０００４】
【特許文献１】特開２００８−２２４９７３号公報
【特許文献２】特許第４６８０４３６号公報
【発明の概要】
【発明が解決しようとする課題】
【０００５】
特許文献１の操作パネルにおいては、各種操作ボタン及び発光ダイオードを取り付けた操作ボタン用基板は、これに取り付けた各操作ボタン等の高さのために、スペーサを用いてパネル本体に取り付けなければならなく、部品点数が多くなってコストが高くなる問題があった。また、特許文献２の操作部構造においては、前部ケースの上端部にカバーが取り付けられており、このカバーは操作ラベルの上端の縁部を操作パネルに押しつけて、操作ラベルの上端の縁部と操作パネルとの間から水滴や異物が後部ケース内に進入しないようになっている。この操作部構造においても、カバーを用いて操作ラベルの上端の縁部を操作パネルに押しつけるようにしているので、部品点数が多くなってコストが高くなる問題があった。本発明はこれらの問題を解決することを目的とする。
【課題を解決するための手段】
【０００６】
上記課題を解決するために本発明は、冷蔵庫、食器洗浄機または製氷機よりなる機器のハウジングの前面部に固定されて前面の操作面から機器の操作をするパネル部を有するパネル本体と、パネル本体のパネル部の後側に設けられて表示部品と操作部品が配置された基板と、パネル本体のパネル部の表面に貼着された操作ラベルとを備えた操作パネルにおいて、パネル本体のパネル部には表示部品及び操作部品を操作面から表示及び操作可能とする前後方向の位置となるように基板に当接して支持する支持部を一体的に形成し、パネル本体のパネル部の前面の操作面を上側になるにつれて後方に傾斜させるとともに、パネル本体にはパネル部の上端から前側に向けて延出する上板部を形成するようにし、上板部のパネル部との境となる部分には操作ラベルの上端部を挿通可能なスリットを形成したことを特徴とする操作パネルを提供するものである。
【０００７】
上記のように構成した操作パネルにおいては、パネル本体のパネル部には表示部品及び操作部品を操作面から表示及び操作可能とする前後方向の位置となるように基板に当接して支持する支持部を一体的に形成したので、表示部品及び操作部品を操作面から表示及び操作可能となるように基板をパネル本体のパネル部に取り付ける際にスペーサ等の別部品を必要としなくなってコストを下げることができる。また、パネル本体のパネル部の前面の操作面を上側になるにつれて後方に傾斜させるとともに、パネル本体にはパネル部の上端から前側に向けて延出する上板部を形成するようにし、上板部のパネル部との境となる部分には操作ラベルの上端部を挿通可能なスリットを形成したので、操作ラベルが上端から剥がれにくくなるとともに、操作ラベルの上端から基板側に水滴が流入しないようになる。また、操作ラベルの上端を別の部材によって剥がれないように押さえるものでないので、コストを低く抑えることができる。
【０００８】
上記のように構成した操作パネルにおいては、基板の後側にはこれに当接させて補強する補強板を設け、パネル本体の後側にはこの補強板を係止させて固定する補強板係止爪を一体的に設けるのが好ましく、このようにしたときには、補強板により基板を補強することができ、また、基板は補強板係止爪により補強板とパネル本体とに挟まれて固定されるようになり、ねじ等の部品を用いずにコストを抑えることができる。
【図面の簡単な説明】
【００１１】
【図１】本発明の操作パネルを用いた冷蔵庫の正面図である。
【図２】第１実施形態の操作パネルの正面図である。
【図３】図２の操作パネルのパネル本体の後面を斜め下方から見た斜視図である。
【図４】図２のＡ−Ａ線における断面図である。
【図５】図２のＢ−Ｂ線における断面図である。
【図６】図２のＣ−Ｃ線における断面図である。
【図７】第２実施形態の操作パネルの正面図である。
【図８】図７のＤ−Ｄ線における断面図である。
【図９】図７のＥ−Ｅ線における断面図である。
【図１０】図７のＦ−Ｆ線における断面図である。
【図１１】図７のＧ−Ｇ線における断面図である。
【発明を実施するための最良の形態】
【００１２】
以下、本発明の操作パネルを急速冷蔵庫（機器）に用いたときの各実施形態を添付図面を参照して説明する。
【００１３】
（第１実施形態）
図１に示すように、急速冷蔵庫１０は、ハウジング１１の下部に冷凍装置１２とこれより上側に冷蔵室１３とを備えており、ハウジング１１の前面開口には冷蔵室１３を開閉する扉１４が開閉自在に取り付けられている。急速冷蔵庫１０は冷蔵室１３の上側にハウジング１１の一部を構成するトップパネル１５を備えており、トップパネル１５は天板の４つの周辺から下側に延びる側縁を備え、これら側延の下端を互いに内向きに水平方向に折り曲げた浅い箱状をしている。トップパネル１５の前側の側縁１５ａには急速冷蔵庫１０の操作をしてその状態を表示する操作パネル２０が固定されている。
【００１４】
図２に示すように、操作パネル２０は、前面側に２つの表示部２０ａと、５つの操作部２０ｂ（２０ｂ１〜２０ｂ５）を備えている。図２〜図６に示すように、操作パネル２０はトップパネル１５の前側の側縁１５ａに固定されたパネル本体２１と、パネル本体２１の後側に設けられて７セグメント等の表示部品３１とスイッチ等の操作部品３２，３３と、操作部品３２の前側に配置された導光板３５を照らすＬＥＤよりなる照光部品３４が取り付けられた基板３０と、基板３０の後側に当接させてこれを補強する補強板３６と、パネル本体２１のパネル部２３の前面に貼付された操作ラベル３７とを備えている。
【００１５】
パネル本体２１はトップパネル１５の前側の側縁１５ａに固定された枠部２２と、枠部２２の内側に形成されて表示部２０ａと操作部２０ｂとが設けられたパネル部２３と、パネル部２３の上端から前側の枠部２２に延出する上板部２４と、パネル部２３の後面側に形成されて補強板３６を介して基板３０をパネル部２３に固定するための補強板係止爪２５とを備えて、これらをＡＢＳ樹脂等の樹脂材により一体的に成形したものである。
【００１６】
図４〜図６に示すように、パネル部２３の前面の操作面は上側になるにつれて後方に傾斜しており、基板３０に設けられた表示部品３１と操作部品３２，３３の各々の厚みを超える厚さとなっている。図２、図３及び図４に示すように、パネル部２３には、表示部２０ａが設けられた位置に基板３０に取り付けた表示部品３１を収容して前側に表示するようにした貫通孔よりなる表示窓２３ａが形成されている。図２、図３及び図５に示すように、パネル部２３には、操作部２０ｂ１が設けられた位置に基板３０に取り付けた操作部品３２を前側から操作可能とする貫通孔よりなる操作窓２３ｂと、この操作窓２３ｂより下側にて照光部品３４によって操作部品３２の前側に配置された導光板３５を照光する照光窓２３ｃとが形成されている。なお、この照光窓２３ｃは操作窓２３ｂとパネル部２３の前面側で連通されている。なお、操作部２０ｂ２が設けられた位置も操作部２０ｂ１が設けられた位置と同様の構成となっている。図２、図３及び図６に示すように、パネル部２３には、操作部２０ｂ３が設けられた位置に基板３０に取り付けられた操作部品３３を収容するようにした後側からの操作凹部２３ｄが形成されており、この操作凹部２３ｄの底壁には操作部品３３を前側から操作可能とするように一部が欠けた欠円形状に切り抜いたバネ部２３ｅが形成されている。なお、操作部２０ｂ４、２０ｂ５が設けられた位置も操作部２０ｂ３が設けられた位置と同様の構成となっている。パネル部２３の後面上部には左右方向に延びる溝２３ｆが形成されている。このパネル部２３は、各窓２３ａ〜２３ｃ、凹部２３ｄ及び溝２３ｆを除く部分を基板３０に当接してこれを支持する支持部２３ｉとしている。
【００１７】
図３〜図６に示すように、パネル部２３の基板３０及び補強板３６の上側位置及び下側位置には上下一対の補強板係止爪２５が左右一対となるように設けられている。上下一対の補強板係止爪２５はパネル部２３の後面から後方に延出し、その先端の係止部２５ａが補強板３６の後面に係止するように互いに内向きになるように折り曲げられている。
【００１８】
図４〜図６に示すように、上板部２４にはパネル部２３との境となる部分に左右方向に延びるスリット２４ａが形成されている。このスリット２４ａはパネル部２３の前面の操作面に貼付された操作ラベル３７の上端部３７ａを挿通させて、操作ラベル３７の上端を剥がれにくくするとともに、操作ラベル３７とパネル部２３との間から水滴や埃等の異物が基板３０側に進入しないようにするためのものである。また、スリット２４ａはパネル部２３の後面上部に形成された溝２３ｆと連通接続されている。
【００１９】
図３〜図６に示すように、基板３０にはパネル部２３の各窓２３ａ〜２３ｃ及び凹部２３ｄに対応する位置にて７セグメント等の表示部品３１とスイッチ等の操作部品３２，３３と、操作部品３２を照らすＬＥＤよりなる照光部品３４が取り付けられている。表示部品３１の前側には操作ラベル３７との間の隙間を埋め、表示部品３１の照光されていないときのセグメント表示を直接見えないようにしたスモークフィルムが貼付されている。また、操作部品３３の前側には照光部品３４による光を操作部品３３の前側に導く導光板３５が介装されている。
【００２０】
図４〜図６に示すように、基板３０の後側には絶縁と防湿のためのポリエステル製のシートを介装した状態で当接させた金属製の補強板３６が設けられている。この補強板３６は基板３０を補強するためのものである。この補強板３６は基板３０をパネル本体２１に押しつけた状態で上下一対及び左右一対の補強板係止爪２５によって固定されている。
【００２１】
図２及び図４〜図６に示すように、パネル本体２１のパネル部２３の前面の操作面には操作ラベル３７が貼付されており、この操作ラベル３７は表示部品３１や操作部品３２，３３の表示内容や操作内容を表示するとともに、各窓２３ａ〜２３ｃから基板３０側に水滴や異物の進入を防止するためのものである。操作ラベル３７の上端部３７ａは上板部２４に形成されたスリット２４ａに挿通されている。図４〜図６に示すように、パネル本体２１の後側にはハウジング１１内に固定されて左右両端が前側に折り曲げられた支持板３８が設けられており、この支持板３８は左右両端の折曲板部３８ａをパネル本体２１の枠部２２の左右両側の後面に形成された縦溝２２ａに係止させてパネル本体２１が後方に移動しないように支持している。
【００２２】
このように構成した操作パネル２０においては、基板３０に取り付けた表示部品３１及び操作部品３２，３３をパネル部２３の前面の操作面から突出することなく表示及び操作可能な前後方向の位置となるように、パネル本体２１のパネル部２３の厚みを表示部品３１及び操作部品３２，３３の各々の厚みより厚くし、各表示部品３１及び操作部品３２，３３と対応する位置に各窓２３ａ〜２３ｃ及び凹部２３ｄを形成して、これら以外の部分を基板３０に当接してこれを支持する支持部２３ｉとした。これにより、パネル本体２１に基板３０を固定するのに、基板３０に取り付けた表示部品３１及び操作部品３２，３３の前後位置を調整するためのスペーサ等の別部品を必要としなくなってコストを下げることができる。また、基板３０に取り付けた表示部品３１及び操作部品３２，３３はパネル本体２１の支持部２３ｉによって適切な前後方向の位置となるので、パネル本体２１のパネル部２３の操作面に貼付した操作ラベル３７はこれら部品３１〜３３が突出することによる歪みが生じない。なお、この実施形態においては、パネル本体２１のパネル部２３の厚みを表示部品３１及び操作部品３２，３３の各々の厚みより厚くし、各表示部品３１及び操作部品３２，３３と対応する位置に各窓２３ａ〜２３ｃ及び凹部２３ｄを形成して、これら以外の部分を基板３０に当接してこれを支持する支持部２３ｉとしたが、本発明はこれに限られるものでなく、パネル本体２１のパネル部２３を板状にし、板状のパネル部２３の後面から後方に支持部２３ｉを突出させたものであってもよい。
【００２３】
また、この操作パネル２０においては、基板３０の後側にはこれに当接させて補強する補強板３６を設け、パネル本体２１の後面側にはこの補強板３６を係止させて固定する補強板係止爪２５を一体的に設けた。これにより、基板３０は補強板３６によって補強されることになる。また、基板３０はパネル本体２１の後面側に一体的に形成した補強板係止爪２５によりパネル本体２１と補強板３６との間に挟まれて固定されるようになり、その取り付けにねじ等の部品を用いずにコストを抑えることができる。
【００２４】
また、この操作パネル２０においては、パネル本体２１のパネル部２３の前面の操作面は上側になるにつれて後方に傾斜し、パネル本体２１にはパネル部２３の上端から前側になる枠部２２に向けて延出する上板部２４が形成されている。この上板部２４にはパネル部２３との境となる部分にスリット２４ａが形成されており、スリット２４ａにはパネル部２３の前面に貼着された操作ラベル３７の上端部３７ａが挿通されている。これにより、操作ラベル３７は上端から剥がれにくくなるとともに、操作ラベル３７の上端から基板３０との間に水滴や埃等の異物が侵入しなくなる。また、操作ラベル３７の上端部３７ａを別の部材によって押さえつけるものでないので、部品点数を増やす必要がなくてコストの増加を抑えることができる。また、上板部２４に形成したスリット２４ａはパネル本体２１の後面側に形成した溝２３ｆと連通接続している。操作パネル２０をハウジング１１を構成するトップパネル１５の前側の側縁１５ａに取り付けた状態で、操作パネル２０の後側の空間はスリット２４ａと溝２３ｆとにより密閉された状態とならないので、操作パネル２０の後側に急激な温度変化が生じても負圧等の状態が生じにくくなる。
【００２５】
また、操作パネル２０はハウジング１１を構成するトップパネル１５に固定されており、操作パネル２０はこのトップパネル１５とともにハウジング１１から着脱可能となっている。ハウジング１１からトップパネル１５を取り外した状態で、操作パネル２０は後面側から取り外し可能となっている。また、同様に、操作パネル２０の基板３０もパネル本体２１から取り外し可能となっている。これにより、操作パネル２０をメンテナンスするときには、ハウジング１１からトップパネル１５を取り外した状態で、内側からメンテナンスをすることができる。
【００２６】
（第２実施形態）
第２実施形態の操作パネル２０Ａは、上述した第１実施形態の操作パネル２０と同様に急速冷蔵庫１０のハウジング１１を構成するトップパネル１５Ａの前側の側縁１５Ａａに取り付けられている。この第２実施形態の操作パネル２０Ａを主として上述した第１実施形態の操作パネル２０との相違点を中心にして説明する。この第２実施形態の操作パネル２０Ａは、図７〜図１１に示すように、操作パネル２０はトップパネル１５Ａの前側の側縁１５Ａａに固定されたパネル本体２１Ａと、パネル本体２１Ａの後側に設けられて７セグメント等の表示部品３１とスイッチ等の操作部品３２，３３と、操作部品３２の前側に配置された導光板３５を照らすＬＥＤよりなる照光部品３４が取り付けられた基板３０と、基板３０の後側に当接させてこれをパネル本体２１Ａに挟んで取り付ける取付板３６Ａと、パネル本体２１Ａのパネル部２３Ａの前面に貼付され操作ラベル３７とを備えている。
【００２７】
図７〜図１０に示すように、パネル本体２１Ａはトップパネル１５Ａの前側の側縁１５Ａａに固定された枠部２２Ａと、枠部２２Ａの内側に形成されて表示部２０Ａａと操作部２０Ａｂ（２０Ａｂ１〜２０Ａｂ５）とが設けられたパネル部２３Ａと、パネル部２３Ａの上端から前側の枠部２２Ａに延出する上板部２４Ａと、パネル部２３Ａの後面上部に形成されて基板３０に水滴が流れ落ちるのを防ぐ防滴板部２６Ａと、パネル部２３Ａの後面下部に形成されてトップパネル１５Ａの底壁部に形成した係止孔に係止させる係止爪２７Ａとを備えて、これらをＡＢＳ樹脂等の樹脂材により一体的に成形したものである。
【００２８】
図８〜図９に示すように、パネル部２３Ａの基板３０上側位置には基板３０の横幅と略同程度の長さの防滴板部２６Ａが後方に延出している。この防滴板部２６Ａはパネル本体２１Ａの枠部２２Ａとトップパネル１５Ａとの間から滴下した水滴を基板３０の後方に導いて基板３０の前面に取り付けた表示部品３１と操作部品３２，３３等に水滴が付着しないようにするものである。パネル部２３Ａの基板３０の下側位置にはトップパネル１５Ａの前側の側延から水平方向に延出させた水平縁に形成した係止孔に係止させる左右一対の係止爪２７Ａが形成されており、これら係止爪２７Ａはパネル本体２１Ａの下端を前方へ移動しないように位置決めするものである。
【００２９】
図８〜図１０に示すように、基板３０の後側には絶縁と防湿のためのポリエステル製のシートを介装した状態で当接させた取付板３６Ａが設けられている。この取付板３６Ａは上端及び下端が後方に折り曲げられた金属板よりなる。図１１に示すように、取付板３６Ａは左右両端部をねじにより枠部２２Ａに固定されており、基板３０はパネル本体２１Ａに固定された取付板３６Ａとよってこれらの間に狭まれて固定されている。これら以外については上述した第１実施形態の操作パネル２０と同様である。
【００３０】
このように構成した操作パネル２０Ａにおいては、上述した第１実施形態の操作パネル２０と同様に、基板３０に取り付けた表示部品３１及び操作部品３２，３３をパネル部２３Ａの前面の操作面から表示及び操作可能な前後方向の位置となるように、パネル本体２１Ａのパネル部２３Ａの厚みを表示部品３１及び操作部品３２，３３の各々の厚みより厚くし、各表示部品３１及び操作部品３２，３３と対応する位置に各窓２３Ａａ〜２３Ａｃ及び凹部２３Ａｄを形成して、これら以外の部分を基板３０に当接してこれを支持する支持部２３Ａｉとした。これにより、パネル本体２１Ａに基板３０を固定するのに、基板３０に取り付けた表示部品３１及び操作部品３２，３３の前後位置を調整するためのスペーサ等の別部品を必要としなくなってコストを下げることができる。また、基板３０に取り付けられた表示部品３１及び操作部品３２，３３はパネル本体２１Ａの支持部２３Ａｉによって適切な前後方向の位置となるので、パネル本体２１Ａのパネル部２３Ａの操作面に貼付した操作ラベル３７はこれら部品３１〜３３が突出することによる歪みが生じない。なお、この実施形態においては、パネル本体２１Ａのパネル部２３Ａの厚みを表示部品３１及び操作部品３２，３３の各々の厚みより厚くし、各表示部品３１及び操作部品３２，３３と対応する位置に各窓２３Ａａ〜２３Ａｃ及び凹部２３Ａｄを形成して、これら以外の部分を基板３０に当接してこれを支持する支持部２３Ａｉとしたが、本発明はこれに限られるものでなく、パネル本体２１Ａのパネル部２３Ａを板状にし、板状のパネル部２３Ａの後面から後方に支持部２３Ａｉを突出させたものであってもよい。
【００３１】
また、この操作パネル２０Ａにおいては、パネル本体２１Ａのパネル部２３Ａの前面の操作面は上側になるにつれて後方に傾斜し、パネル本体２１Ａにはパネル部２３Ａの上端から前側になる枠部２２Ａに向けて延出する上板部２４Ａが形成されている。この上板部２４Ａにはパネル部２３Ａとの境となる部分にスリット２４Ａａが形成されており、スリット２４Ａａにはパネル部２３Ａの前面に貼着された操作ラベル３７の上端部３７ａが挿通されている。これにより、操作ラベル３７は上端から剥がれにくくなるとともに、操作ラベル３７の上端から基板３０との間に水滴や埃等の異物が侵入しなくなる。また、操作ラベル３７の上端部３７ａを別の部材によって押さえつけるものでないので、部品点数を増やす必要がなくてコストの増加を抑えることができる。また、上板部２４Ａに形成したスリット２４Ａａはパネル本体２１Ａの後面側に形成した溝２３Ａｆと連通接続している。操作パネル２０Ａをハウジング１１Ａを構成するトップパネル１５Ａの前側の側縁１５Ａａに取り付けた状態で、操作パネル２０Ａの後側の空間はスリット２４Ａａと溝２３Ａｆとにより密閉された状態とならないので、操作パネル２０Ａの後側に急激な温度変化が生じても負圧等の状態が生じにくくなる。
【００３２】
本実施形態の操作パネル２０，２０Ａは急速冷蔵庫１０に用いるようにしたが、本発明はこれに限られるものでなく、例えば食器洗浄機、製氷機等の他の機器に用いたものであってもよい。
【符号の説明】
【００３３】
１０…機器、１１…ハウジング、２０，２０Ａ…操作パネル、２１，２１Ａ…パネル本体、２３，２３Ａ…パネル部、２３ｆ，２３Ａｆ…溝、２３ｉ，２３Ａｉ…支持部、２４、２４Ａ…上板部、２４ａ，２４Ａａ…スリット、２５…補強板係止爪、３０…基板、３１…表示部品、３２，３３…操作部品、３６…補強板。
【図１】
0005642644.tif 000002
【図２】
0005642644.tif 000003
【図３】
0005642644.tif 000004
【図４】
0005642644.tif 000005
【図５】
0005642644.tif 000006
【図６】
0005642644.tif 000007
【図７】
0005642644.tif 000008
【図８】
0005642644.tif 000009
【図９】
0005642644.tif 000010
【図１０】
0005642644.tif 000011
【図１１】
0005642644.tif 000012